(57)【要約】【課題】ドアーの開力を軽減し簡単にドアーの開閉ができる操作性に優れた機器を提供する。【解決手段】本体１２と、横開きのドアー１と、回転軸２ａを中心に可動するハンドル２と、ハンドル２の動きに連動して上下方向にスライドする凸部を有するドアーキー３と、ドアーキー３をスライド可能にするドアーバネ１０と、ドアーキー３により直接・間接的にＯＮ・ＯＦＦするスイッチ７、８、９を配置したドアーフック４とを備え、ハンドル２を引っぱることによりドアーキー３を上下方向にスライドさせ本体に設けたドアーフック４との勘合を解除する構成にすることにより、ハンドル２を引っ張ると回転軸２ａを中心に回動する動きに連動し、ドアーキー３を上下方向にスライドさせる動きに変換するため、ドアーフック４からドアーキー３が外れる際ドアーフック４とドアーキー３の係合部の摩擦抵抗を極力抑えることができる。【選択図】図１
2006226565.tif 000002
【特許請求の範囲】
【請求項１】
被加熱物を調理する本体と、被加熱物を出し入れする横開きのドアーと、前記ドアーの一部に設けた回転軸を中心に可動するハンドルと、前記ハンドルの回転軸を中心に可動する動きに連動して上下方向にスライドする凸部を有する本体との勘合部材（以下、ドアーキーと称す）と、前記ドアーキーをスライド可能にするバネと、前記ドアーキーにより直接・間接的にＯＮ・ＯＦＦするスイッチを配置した本体勘合部材（以下、ドアーフックと称す）とを備え、前記ハンドルを引っぱることにより前記ドアーキーを上下方向にスライドさせ前記ドアーフックとの勘合を解除する構成の高周波加熱機器のドアー開閉装置。
【請求項２】
ハンドルの手で触れる部分から回転軸までの距離より、ハンドルとドアーキーとの接触部から回転軸までの距離を短くした請求項１に記載の高周波加熱機器のドアー開閉装置。
【請求項３】
ハンドルとドアーキーの接触部は可動時において常に点接触する形状とした請求項１に記載の高周波加熱機器のドアー開閉装置。
【請求項４】
ドアーキーは、ドアーに内装された電波漏洩防止機能を構成する板金側面に上下に摺動可能に設けると共に、前記板金側面との摺動面に複数の突起を設けた請求項１に記載の高周波加熱機器のドアー開閉装置。
【請求項５】
ハンドルの手掛かり部から回転軸までの距離と、ハンドルとドアーキーとの接触から回転軸までの距離の差をドアーキー可動中より可動初期を小さくする構成の請求項１に記載の高周波加熱機器のドアー開閉装置。
【発明の詳細な説明】
【技術分野】
【０００１】
本発明は高周波加熱装置のドアー開閉操作性の改善に関するものである。
【背景技術】
【０００２】
従来、この種の横開きドアーはハンドル部を直接引張って開くプル方式を採用している（例えば、特許文献１参照）。
【０００３】
図８は、特許文献１に記載された従来のプル式ドアー開閉機構を示すものである。図８に示すように、ドアー１と、ドアー１に設けたハンドル２と、ドアー１に設けたドアーキー３と、ドアーキー３が係合するドアーフック４とドアーキー３によって作動されるフックスペーサー５，６と、フックスペーサー５、６を介しＯＮ-ＯＦＦするスイッチ７、８、９から構成されている。
【特許文献１】特開平１１−１８２８５３号公報
【発明の開示】
【発明が解決しようとする課題】
【０００４】
しかしながら、前記従来の構成では、ドアー１のハンドル２を引張るとドアーキー３先端係合部の傾斜角３ａに沿って開いていく。この傾斜角度がきついとドアー１の開力は重たくなり、ゆるいと軽くなるのは言うまでもない。この傾斜角度を決定する要因はドアー１の開閉力、電波漏洩規制であるが、ドアー１の開きに対して発振を停止するスイッチ６の動作を優先させているのが現状である。ドアーキー３はドアーバネ１０の力でフックスペーサー５，６を介しスイッチ７、８、９をＯＮさせる構造にしている。ドアーキー３はドアー１に設けた取り付け部１１に摺動可能に取り付けられている。ドアーバネ１０はスイッチ７、８、９のＯＮ荷重とドアーキーの３の摺動抵抗を考慮した荷重設定が求められる。この条件でドアー１を開けようとすると、ドアーキー３とドアーフック４の係合部４ａの摩擦抵抗、ドアー１に設けた取り付け部１１とドアーキー３の摩擦抵抗とドアー１の開方向とドアーキー３の動作方向が直行しているため分力されかなり開力が重たくなってしまうという課題を有していた。
【０００５】
本発明は、前記従来の課題を解決するもので、ドアーの一部に回転軸を中心に可動するハンドルを設け、ハンドルの回転軸を中心に可動する動きに連動してドアーキーを上下方向にスライドさせドアーフックとの勘合を解除する構成にすることにより誰でも指一本で簡単に開閉できる操作性に優れた機器を提供することを目的とする。
【課題を解決するための手段】
【０００６】
前記従来の課題を解決するために、本発明の高周波加熱装置のドアー開閉機構は、ドアーの一部回転軸を中心に可動するハンドルを設け、ハンドルの回転軸を中心に可動する動きに連動してドアーキーを上下方向にスライドさせドアーフックとの勘合を解除する構成としたものである。
【０００７】
これによって、ハンドルを引っ張るとドアーの一部に設けた回転軸を中心に回動する動きに連動し、ドアーキーを上下方向にスライドさせる動きに変換するため、ドアーフックからドアーキーが外れる際ドアーフックとドアーキーの係合部の摩擦抵抗を極力抑えることが出来、誰でも指一本で簡単に開閉できる操作性に優れた機器となる。
【発明の効果】
【０００８】
本発明の高周波加熱機器のドアー開閉装置は、非常に軽い力で簡単に開閉できる操作性に優れた機器を提供することができる。
【発明を実施するための最良の形態】
【０００９】
第１の発明は、被加熱物を調理する本体と、被加熱物を出し入れする横開きのドアーと、前記ドアーの一部に設けた回転軸を中心に可動するハンドルと、前記ハンドルの回転軸を中心に可動する動きに連動して上下方向にスライドする凸部を有する本体との勘合部材（ドアーキー）と、前記ドアーキーをスライド可能にするバネと、前記ドアーキーにより直接・間接的にＯＮ・ＯＦＦするスイッチを配置した本体勘合部材（ドアーフック）とを備え、前記ハンドルを引っぱることにより前記ドアーキーを上下方向にスライドさせ前記ドアーフックとの勘合を解除する構成とすることにより、ハンドルを引っ張るとドアーの一部に設けた回転軸を中心に回動する動きに連動し、ドアーキーを上下方向にスライドさせる動きに変換するため、ドアーフックからドアーキーが外れる際ドアーフックとドアーキーの係合部の摩擦抵抗を極力抑えることができるため誰でもが非常に軽い力で簡単にドアーの開閉ができる操作性に優れた機器を提供することができる。
【００１０】
第２の発明は、特に、第１の発明である高周波加熱機器のドアー開閉装置をハンドルの手で触れる部分から回転軸までの距離より、ハンドルとドアーキーとの接触部から回転軸までの距離を短くすることにより、少なくとも引っ張る力に対しドアーキーの動作力を同等以上にすることができることなり引っ張る力以上の力をドアーキーでき、さらに軽い力でドアーの開閉を行うことができる。
【００１１】
第３の発明は、特に、第１の発明であるドアー開閉装置のハンドルとドアーキーとの接触部を可動時において常に点接触する形状とすることにより、摩擦抵抗を最小限に抑えることとなりドアーを引っ張る力をロスなくドアーキーの動作に変換でき、さらに軽い力でドアーの開閉を行うことができる。
【００１２】
第４の発明は、特に、第１の発明である高周波加熱機器のドアー開閉装置のドアーキーは、ドアーに内装された電波漏洩防止機能を構成する板金側面に上下に摺動可能に設けると共に、前記板金側面との摺動面に複数の突起を設けたことにより、摩擦抵抗を最小限に抑えることとなりドアーを引っ張る力をロスなくドアーキーの動作に変換でき、さらに軽い力でドアーの開閉を行うことができる。
【００１３】
第５の発明は、特に、第１の発明であるドアー開閉装置のハンドルの手掛かり部から回転軸までの距離と、ハンドルとドアーキーとの接触から回転軸までの距離の差をドアーキー可動中より可動初期を小さくする構成としたことにより、可動初期の各部品間で生じている接触抵抗を解除するに必要な力を軽い力で得られ、可動中は少ない引っ張り距離でドアーを開けることが可能となる。
【００１４】
以下、本発明の実施の形態について、図面を参照しながら説明する。なお、この実施の形態によって本発明が限定されるものではない。
【００１５】
（実施の形態１）
図１は、本発明の第１の実施形態における高周波加熱機器のドアー開閉装置のドアー閉時の要部断面図、図２は、本発明の第１の実施形態における高周波加熱機器の全体図、図３は、本発明の第１の実施形態における高周波加熱機器のドアー開閉装置のハンドル詳細図、図４は、本発明の第１の実施形態における高周波加熱機器のドアー開閉装置のドアードアーキーとハンドルの接触構成詳細図、図５は、本発明の第１の実施形態における高周波加熱機器のドアー開閉装置のドアーキー詳細図を示すものである。
【００１６】
図１から５において、高周波加熱装置は本体１２と食品を収納する加熱室１３と加熱室１３を閉じるドアー１と操作部１４からなり、ドアー１には本体１２と閉状態を維持するためドアーキー３が、本体１２側にはドアーフック４が設けられている。ドアーキー３はドアーバネ１０によって上方に作用するようにドアー１上部１ａに一端を、他端をドアーキー３に引っ掛け、電波漏洩防止機能を有した板金１５側面の長穴１５ａに摺動可能に引っ掛けてある。ドアーバネ１０はドアーキー３の突起部３ｂの先端とフックスペーサー５の摩擦抵抗、ドアーキー３と電波漏洩防止機能を有した板金１５側面間での接触抵抗を受けつつスイッチ９をＯＮする（ＯＮ荷重２００ｇ）必要があるため、スイッチのＯＮ荷重に対して余裕を持った引き込み力に設定してある。
【００１７】
ドアーキー３の板金１５との摺動面には複数の突起３ｄが設けてありこの突起３ｄの先端と板金１５間で摺動する。ドアー１の下部にはハンドル２がハンドル２の支点２ａを中心に回動するよう取り付けてあり、ハンドルバネ１６によって上方に作用するようにドアー１の爪１ｂに一端を、他端をハンドル２に引っ掛けてある。またハンドル２の手掛かり部２ｂと支点２ａを結ぶ直線から略９０℃の位置に突起２ｃが設けてある。この手掛かり部２ｂと支点２ａ間距離Ａを１としたときに支点２ａと突起２ｃ間距離Ｂを０．６の比率になるような寸法関係に設定している（図３参照）。また、ハンドル２の突起２ｃの先端は円形形状としている（図４参照）。
【００１８】
一方、ドアーキー３にはハンドル２の突起２ｃを覆うように凹部があり、突起２ｃの動作方向に近接して接触面３ａを有している。またドアーキー３にはドアーフック４側に向け２個の突起部３ｂ、３ｃがドアー１に中央から略均等に設けてあり先端には上向きの勘合部を有している。
【００１９】
本体１２側に配置されたドアーフック４にはドアーキー３の勘合部３ｂ，３ｃに対応する位置になだらかな傾斜を持った開口４ｂ、４ｃを設けてある。ドアーフック４にはドアー１の開閉を検知するスイッチ７，８，９が取り付けてあり、スイッチ７，８はフックスペーサー５を介しドアーキー３の突起部３ｂの先端、スイッチ９はドアーキー３の突起部３ｃの先端に設けた勘合部の先端で直接ＯＮ・ＯＦＦする構成としている。スックスペーサー５は支点５ａを回転軸とし、一片をドアーキー３の突起部３ｂの先端で押し、他端でスイッチ８をＯＮさせる。支点５ａとドアーキー３の突起部３ｂが接触する一片までの距離を支点５ａからスイッチ８をＯＮさせる他端の距離の２倍程度取ってある。スイッチ７の動作用ボタンはフックスペーサー５の支点５ａに向けて取り付けてある。
【００２０】
本体１２へのドアーフック４の取り付けはドアー１のガタ等が発生しないようビスにより調整して取り付ける構成（図示せず）としている。
【００２１】
以上のように構成された高周波加熱機器のドアー開閉装置について、以下その動作、作用を説明する。
【００２２】
まず、ドアー１の閉じた状態ではハンドル２はハンドルバネ１６によって上方に作用するようにしてあり常に所定の位置にガタ等の発生もなく安定して取り付けることが出来る。また、ハンドル２の突起２ｃとドアーキー３の接触面３ａ間に隙間を持たしているため多少の部品・組み立てバラツキは吸収できる構成としている。
【００２３】
ハンドル２の手掛かり部２ｂに手を掛け引っ張ると支点２ａを回転軸としハンドル２の突起２ｃ部が可動し、ハンドル２の突起２ｃとドアーキー３の接触面３ａの隙間が詰まってくる。ハンドル２の突起２ｃとドアーキー３の接触面３ａの隙間がなくなるまではハンドルバネ１６の荷重とドアーキー３の突起部３ｂの先端とフックスペーサー５の摩擦抵抗のみがハンドル２にかかるため非常に軽い力で動作させることが出来るが、ハンドル２の突起２ｃとドアーキー３の接触面３ａの隙間がなくなった以降はドアーバネ１０の荷重、ドアーキー３と電波漏洩防止機能を有した板金１５側面間での接触抵抗が加味されることとなる。しかし、ドアーキー３の板金１５との摺動面には複数の突起３ｄが設けてありこの突起３ｄの先端と板金１５間で摺動する構成にすることで、接触抵抗を最小限に抑えることが出来る。また、ドアーキー３の突起部３ｂの先端とフックスペーサー５の摩擦抵抗も、フックスペーサー５の支点５ａとドアーキー３の突起部３ｂが接触する一片までの距離を支点５ａからスイッチ８をＯＮさせる他端の距離の２倍程度取ってあるためスイッチ８のＯＮ荷重（２００ｇ）の半分の接触抵抗に抑えることができる。スイッチ７の動作用ボタンはフックスペーサー５の支点５ａに向けて取り付けてあるためスイッチ７はドアーキー３の突起部３ｂの先端とフックスペーサー５の摩擦抵抗に影響を与えないようにしてあり最小限の接触抵抗に抑えることが出来る。
【００２４】
また、ハンドル２を引っ張り続けた時、ハンドル２の突起２ｃとドアーキー３の接触面３ａは常に接触し続けるが、ハンドル２の突起２ｃ先端が円状になっており常に点接触にしており、ここでの接触抵抗も最小限に抑えてある。
【００２５】
このとき、ハンドル２の手掛かり部２ｂと支点２ａ間距離Ａを1としたときに支点２ａと突起２ｃ間距離Ｂを０．６の比率になるような寸法関係に設定しているので機構上必要な力の６割程度の操作力でハンドル２を引っ張れることとなる。
【００２６】
さらに、ハンドル２を引っ張り続けると、ドアーフック４のドアーキー３の勘合部３ｂ，３ｃに対応する位置になだらかな傾斜を持った開口４ｂ、４ｃからドアーキー３の突起部３ｂ、３ｃ先端の上向きの勘合部が外れ、ドアー１を開くことが出来る。
【００２７】
ドアー１を閉じる時は、ドアーキー３の板金１５との摺動面に複数の突起３ａを設けて突起３ａの先端と板金１５間で摺動する構成にすることで、接触抵抗を最小限に抑えている。また、ドアーキー３の突起部３ｂの先端とフックスペーサー５の摩擦抵抗も、スペーサー５の支点５ａとドアーキー３の突起部３ｂが接触する一片までの距離を支点５ａからスイッチ８をＯＮさせる他端の距離の２倍程度取ってあるためスイッチ８のＯＮ荷重（２００ｇ）の半分の接触抵抗に抑えている。スイッチ７の動作用ボタンはフックスペーサー５の支点５ａに向けて取り付けてあるためスイッチ７はドアーキー３の突起部３ｂの先端とフックスペーサー５の摩擦抵抗に影響を与えないようにしてあり最小限の接触抵抗に抑えていることのより、ドアーバネ１０の引き込み力を下げたため、軽い力で簡単に閉めることができる。
【００２８】
以上のように、本実施の形態においてはドアーの一部回転軸を中心に可動するハンドルを設け、ハンドルの回転軸を中心に可動する動きに連動してドアーキーを上下方向にスライドさせドアーフックとの勘合を解除する構成とすることにより、ハンドルを引っ張るとドアーの一部に設けた回転軸を中心に回動する動きに連動し、ドアーキーを上下方向にスライドさせる動きに変換するため、ドアーフックからドアーキーが外れる際ドアーフックとドアーキーの係合部の摩擦抵抗を極力抑えることができるため誰でもが非常に軽い力で簡単にドアーの開閉ができる操作性に優れた機器を提供することができる。
【００２９】
（実施の形態２）
図６は、本発明の第２の実施の形態の高周波加熱機器のドアー開閉装置のドアー閉時の要部断面図、図７は、本発明の第２の実施の形態の高周波加熱機器のドアー開閉装置のドアー開途中時の要部断面図である。
【００３０】
図６，７において、実施の形態１との違いのみを説明する。ドアーキー３の接触面３ａの角度ａよりハンドル２の突起２ｃの角度ｂをおおきくしている。
【００３１】
以上のように構成された高周波加熱機器のドアー開閉装置について、以下その動作、作用を説明する。
【００３２】
ハンドル２の手掛かり部２ｂを引っ張ると支点２ａを中心に回動し始め突起２ｃがドアーキー３の接触部３ａのａ部に接触する。この時各部品間に摩擦抵抗がかかっており、摺動中の抵抗と比較すると非常に大きいのは明らかである。そのため本実施例では、ハンドル２の手掛かり部２ｂの力を少なくするため、ハンドルの手掛かり部２ｂから回転軸２ａ間距離（図２のＡに相当）と回転軸２ａからドアーキー３と接触する接触部３ａ間距離（図２のＢに相当）の比を１対０．４５にしてあり、機構上必要な力の半分以下の力しかいらない。反面ドアーキー３の移動距離を多くとれないため、ドアーフック４からドアーキー３の突起部３ｃ先端の勘合部を解除するためには、ハンドル２をかなり回転させることが必要となる。
【００３３】
そこで、手掛かり部２ｂを引っ張り続けスイッチ９の動作ボタンがＯＦＦする時点でほぼ、ハンドル２の突起２ｃとドアーキー３の接触部３ａは面接触し、ハンドル２の突起２ｃの先端へと移行させている。これによりハンドルの手掛かり部２ｂから回転軸２ａ間距離と回転軸２ａからドアーキー３と接触する接触部３ａ間距離の比を１対０．７となり必要最小限のハンドル２の回転でドアー１を開けることができる。
【産業上の利用可能性】
【００３４】
以上のように、本発明にかかる高周波加熱機器のドアー開閉装置は、非常に軽い力で簡単にドアーの開閉が可能となるので、横開きを有する機器等の用途にも適用できる。
【図面の簡単な説明】
【００３５】
【図１】本発明の実施の形態１における高周波加熱機器のドアー開閉装置のドアー閉時の要部断面図
【図２】本発明の実施の形態１における高周波加熱機器の全体図
【図３】本発明の実施の形態１における高周波加熱機器のドアー開閉装置のハンドル詳細図
【図４】本発明の実施の形態１における高周波加熱機器のドアー開閉装置のドアードアーキーとハンドルの接触構成詳細図
【図５】本発明の実施の形態１における高周波加熱機器のドアー開閉装置のドアードアーキー詳細図
【図６】本発明の実施の形態２における高周波加熱機器のドアー開閉装置のドアー閉時の要部断面図
【図７】本発明の実施の形態２における高周波加熱機器のドアー開閉装置のドアー開途中時の要部断面図
【図８】従来のドアーキー及びドアーフックの要部拡大図
【符号の説明】
【００３６】
１  ドアー
２  ハンドル
２ａ  支点（回転軸）
３  ドアーキー
３ｂ、３ｃ  突起部（凸部）
４  ドアーフック
７、８、９  スイッチ
１０  ドアーバネ
１２  本体
【図１】
2006226565.tif 000003
【図２】
2006226565.tif 000004
【図３】
2006226565.tif 000005
【図４】
2006226565.tif 000006
【図５】
2006226565.tif 000007
【図６】
2006226565.tif 000008
【図７】
2006226565.tif 000009
【図８】
2006226565.tif 000010